(57)【特許請求の範囲】
【請求項１】
矩形に枠組みされた木製下地枠の外面側に防湿シートが貼設されるとともに、この防湿シートの外面側であって、木製下地枠の枠外に、断熱材が貼設された状態で断熱内壁パネルが構成され、
外壁がカーテンウォール構造をとっている鉄骨構造の建物の内壁において、鉄骨躯体の断面Ｈ形のラーメン柱のフランジ部の外側に隣接するように、断熱内壁パネルの木製下地枠の室内側となる内面側が、ラーメン柱のフランジ部よりも室内側に突出するように固定されるとともに、ラーメン柱のフランジ部の内側とこのフランジ部よりも室内側に突出した木製下地枠の突出幅の部分とには、ラーメン柱のフランジ部まで行き届く充分な量の断熱材が設けられたことを特徴とするラーメン柱の断熱施工構造。
【発明の詳細な説明】
【０００１】
【発明の属する技術分野】
本発明は、建物躯体におけるラーメン柱の断熱施工構造に関するものである。
【０００２】
【従来の技術】
一般に、鉄骨構造の建物において、外壁がカーテンウォール構造をとっているような場合、内壁の施工に当たって、自立した下地材および断熱材の施工が必要となる。
【０００３】
そこで、従来より、図９に示すように、矩形に枠組みした木製下地枠ｂの枠内に断熱材ｃを設けるとともに、この木製下地枠ｂの室内側となる内面側に防湿シートｄを貼設して断熱内壁パネルａを構成し、この断熱内壁パネルａを施工することが行われている。この場合、断熱内壁パネルａは、木製下地枠ｂに固定金具ｅを固定し、この固定金具ｅをラーメン柱ｆのフランジ部ｇに係合させることで、このラーメン柱ｆの横に固定していた。
【０００４】
また、このラーメン柱ｆの断熱構造も、ラーメン柱ｆのフランジ部ｇ内に収まるように断熱内壁パネルａを構成し、この断熱内壁パネルａに固定金具ｅを固定していた。そして、この固定金具ｅをラーメン柱ｆのフランジ部ｇに係合させることで、このラーメン柱ｆのフランジ部ｇ内に断熱内壁パネルａを固定するようになされていた。
【０００５】
【発明が解決しようとする課題】
しかし、上記従来のようにラーメン柱ｆの両側およびフランジ部ｇ内を、全てパネル状となった断熱内壁パネルａで施工する場合、ラーメン柱ｆのフランジ部ｇの部分で、断熱内壁パネルａが分断され、断熱構造が途切れてしまうこととなってしまう。すなわち、ラーメン柱ｆのフランジ部ｇと、このフランジ部ｇに隣接する木製下地枠ｂとの部分ｈ全体が、室内側から室外側へと直に連通することとなるので、熱橋を形成してしまい断熱効果の低下を生じることとなる。
【０００６】
本発明は、係る実情に鑑みてなされたものであって、簡単に施工でき優れた断熱効果を得ることができるラーメン柱の断熱施工構造を提供することを目的としている。
【０００７】
【課題を解決するための手段】
上記課題を解決するための本発明のラーメン柱の断熱施工構造は、矩形に枠組みされた木製下地枠の外面側に防湿シートが貼設されるとともに、この防湿シートの外面側であって、木製下地枠の枠外に、断熱材が貼設された状態で断熱内壁パネルが構成され、外壁がカーテンウォール構造をとっている鉄骨構造の建物の内壁において、鉄骨躯体の断面Ｈ形のラーメン柱のフランジ部の外側に隣接するように、断熱内壁パネルの木製下地枠の室内側となる内面側が、ラーメン柱のフランジ部よりも室内側に突出するように固定されるとともに、ラーメン柱のフランジ部の内側とこのフランジ部よりも室内側に突出した木製下地枠の突出幅の部分とには、ラーメン柱のフランジ部まで行き届く充分な量の断熱材が設けられたものである。
【０００８】
【発明の実施の形態】
以下、本発明の実施の形態を図面を参照して説明する。
【０００９】
図１および図２はラーメン柱５の断熱施工構造を示し、図３および図４は同施工構造に使用される断熱内壁パネル１を示している。
【００１０】
すなわち、このラーメン柱５の断熱施工構造は、ラーメン柱５のフランジ部５１に隣接して断熱内壁パネル１が固定されるとともに、このラーメン柱５のフランジ部５１の内側に断熱材４が設けられたものである。
【００１１】
断熱内壁パネル１は、木製下地枠２の外面側に防湿シート３が貼設されるとともに、この防湿シート３の外面側に断熱材４が貼設されて構成されている。
【００１２】
木製下地枠２は、縦桟材２１と横桟材２２とを矩形に枠組みして構成されている。また、縦桟材２１間には、横桟材２２と平行する複数の中桟材２３が設けられて木製下地枠２全体が補強されている。この木製下地枠２は、中桟材２３に配線孔２０が設けられており、この配線孔２０を利用して木製下地枠２内に自由に配線（図示省略）を取りまわせるようになされている。また、木製下地枠２のうち、室内側となる内面側であって、上辺の横桟材２２に隣接した位置には、この木製下地枠２の内面側と面一となるように、上辺の横桟材２２と直交して天井下地取付桟材２４が設けられている。さらに、木製下地枠２の端面の内、一方の縦桟材２１の外面寄りの位置に、この縦桟材２１に沿って気密材２５が設けられている。
【００１３】
防湿シート３は、木製下地枠２の外面側全体に貼設される。この防湿シート３としては、アルミニウム蒸着したポリエチレン製フィルムを使用することができる。
【００１４】
断熱材４は、上記防湿シート３の外面側であって、木製下地枠２の枠外に貼設される。この断熱材４は、木製下地枠２と略同じ大きさに貼設されるが、断熱内壁パネル１を施工した状態で、木製下地枠２の上辺の横桟材２２と梁５との間隙を充分に被覆することができるように、木製下地枠２の上辺の横桟材２２から、かなり上方にはみ出した状態となるように貼設される。また、幅方向にも、木製下地枠２よりも気密材２５の分だけはみ出した状態となるように貼設される。この断熱材４としては、例えば、フィルム包装された高密度グラスウール製の断熱材４を使用することができる。この断熱材４は、木製下地枠２の外面側に当接した状態で、この木製下地枠２に、鋲４１によって固定される。この断熱材４は、木製下地枠２に対して一体となった一つの断熱材４を貼設するものであっても良いし、複数の断熱材４を貼設するものであっても良い。
【００１５】
この断熱内壁パネル２は、取付金具７を介してラーメン柱５のフランジ部５１に固定される。
【００１６】
この取付金具７は、木製下地枠２の縦桟材２１の端面にビス７０で固定されるビス固定部７１と、ラーメン柱５のフランジ部５１を弾性挟持する弾性挟持部７２とによって形成されている。そして、この取付金具７のビス固定部７１を縦桟材２１の端面にビス７０で固定し、この断熱内壁パネル１を室内側から引き起こすことで、この取付金具７の弾性挟持部７２がラーメン柱５のフランジ部５１を挟持することとなり、これによって断熱内壁パネル１がラーメン柱５に固定される。また、この固定状態で、図１および図２に示すように、断熱内壁パネル１の木製下地枠２が、ラーメン柱５のフランジ部５１よりも室内側に突出幅Ｄで突出するように固定される。
【００１７】
また、この突出幅Ｄを利用して、ラーメン柱５全体を被覆するように、固定金具８によって板材６が固定される。この固定金具８は、木製下地枠２の縦桟材２１の表面に当接される当接部８１と、板材６の背面に当接される背面当接部８２とが突出幅Ｄの段差を有して形成されている。また、背面当接部８２からは、ラーメン柱５のフランジ部５１に当接される爪部８３が延設され、この背面当接部８２を補強するようになされている。そして、板材６の背面に固定金具８の背面当接部８２をビス８０で固定し、この板材６をラーメン柱５の部分に嵌め込んだ後、この固定金具８の当接部８１を縦桟材２１の表面にビス８０で固定することで、板材６がラーメン柱５の表面に被覆される。また、この固定状態で、縦桟材２１の表面と板材６の表面とが面一となるように板材６の厚みを決定しておく。さらに、板材６を固定するに先立って、ラーメン柱５のフランジ部５１の内側には、断熱材４を設けておく。この断熱材４は、ラーメン柱５のウェブ５２の部分に両面テープ（図示省略）を利用して貼設することができる。
【００１８】
このラーメン柱５の断熱施工構造によると、ラーメン柱５のフランジ部５１の内側に断熱材４を設けているので、ラーメン柱５が熱橋を形成するのを防止することができる。また、この断熱材４の表面に板材６を設けているので、このラーメン柱５のフランジ部５１の部分が熱橋を形成するのを防止することができる。また、このラーメン柱５に隣接して固定される断熱内壁パネル１も、木製下地枠２の外面側に防湿シート３および断熱材４を貼設しているので、この断熱内壁パネル１の木製下地枠２自体が熱橋となるのを防止することができる。したがって、ラーメン柱５および断熱内壁パネル１の全体が、断熱材４で完全に被覆された構造となり、優れた断熱効果を得ることができることとなる。
【００１９】
しかもこの断熱施工構造は、ラーメン柱５のフランジ部５１に隣接して断熱内壁パネル１を固定するとともに、ラーメン柱５のフランジ部５１の内側に断熱材４を設けるといったことで簡単に構成することができる。
【００２０】
なお、本実施の形態では、ラーメン柱５を、断熱材４および板材６によって被覆しているが、このラーメン柱５のフランシ部５１の間隔が狭いような場合には、特に板材６を設ける必要はなく、図５に示すように、断熱材４だけであっても良い。ただし、この場合、ラーメン柱５のフランジ部５１の部分が熱橋を形成しないようにするために、このフランジ部５１まで行き届く充分な量の断熱材４を設けることが好ましい。また、このフランジ部５１を被覆できるように、両側部に鍔部４１を形成したラーメン柱５専用の断熱材４を使用しても良い。
【００２１】
また、本実施の形態では、ラーメン柱５と断熱内壁パネル１とが面一となった場合について述べているが、図６および図７に示すように、ラーメン柱５を隅部として、一方の断熱内壁パネル１が直交するように固定された入隅構造であっても良いし（図６参照）、出隅構造であっても良い（図７参照）。ただし、このような入隅構造または出隅構造の場合、ラーメン柱５の一方のフランジ部５１には断熱内壁パネル１の縦桟材２１が固定されることとなるが、他方のフランジ部５１には縦桟材２１が固定されないこととなるので、図６および図７に示すように、別途、木桟材９、断熱材４および板材６などを設けなければならない。
【００２２】
さらに、本実施の形態では、固定金具８によって板材６を固定するようになされているが、図８に示すように、木製下地枠２の縦桟材２１に溝部２１ａを設け、この溝２１ａ間に板材６を嵌め込んで釘またはビス８０で固定するようにしても良い。
【００２３】
【発明の効果】
以上述べたように、本発明によると、ラーメン柱のフランジ部の内側に断熱材を設けているので、ラーメン柱が熱橋を形成するのを防止することができる。また、このラーメン柱に隣接して固定される断熱内壁パネルも、木製下地枠の外面側に防湿シートおよび断熱材を貼設しているので、木製下地枠自体が熱橋となるのを防止することができる。したがって、ラーメン柱のフランジ部および、このフランジ部に固定される断熱内壁パネルの木製下地枠が熱橋となるのを防止して構造全体で優れた断熱効果を得ることができる。しかもこの断熱施工構造は、木製下地枠の外面側に防湿シートおよび断熱材を貼設した断熱内壁パネルを、ラーメン柱の両側に固定し、このラーメン柱のフランジ部の内側に断熱材を設けるといったことで簡単に構成することができる。
【図面の簡単な説明】
【図１】ラーメン柱の断熱施工構造の全体構成の概略を示す部分斜視図である。
【図２】（ａ）および（ｂ）は、図１におけるＩ−Ｉ  線およびＩＩ−ＩＩ  線断面図である。
【図３】断熱内壁パネルの全体構成の概略を示す分解斜視図である。
【図４】（ａ）ないし（ｃ）は、断熱内壁パネルの全体構成の概略を示す平面図、正面図および側面図である。
【図５】ラーメン柱の断熱施工構造の他の実施の形態を示す断面図である。
【図６】ラーメン柱の断熱施工構造のさらに他の実施の形態を示す断面図である。
【図７】ラーメン柱の断熱施工構造のさらに他の実施の形態を示す断面図である。
【図８】ラーメン柱の断熱施工構造のさらに他の実施の形態を示す断面図である。
【図９】従来のラーメン柱の断熱施工構造を示す断面図である。
【符号の説明】
１  断熱内壁パネル
２  木製下地枠
３  防湿シート
４  断熱材
５  ラーメン柱
５１  フランジ部
【図１】
0003609235.tif 000002
【図２】
0003609235.tif 000003
【図３】
0003609235.tif 000004
【図４】
0003609235.tif 000005
【図５】
0003609235.tif 000006
【図６】
0003609235.tif 000007
【図７】
0003609235.tif 000008
【図８】
0003609235.tif 000009
【図９】
0003609235.tif 000010